(57)【要約】【課題】【解決手段】本発明は、当初の状態にて後退しており、また、針５を保護するため注射装置１０から展開させることのできる針防護要素１を備える注射装置に関する。
2007509658.tif 000002
【特許請求の範囲】
【請求項１】
当初の状態にて後退しており、また、針（５）を保護するため注射装置（１０）から引き出すことのできる針防護要素（１）を備える、注射装置。
【請求項２】
請求項１に記載の注射装置において、トリガースリーブ（４）が、針防護要素（１）に対して変位して起動手順を許容することのできる針防護要素（１）と多少なりとも同軸状に配備された状態にて設けられる、注射装置。
【請求項３】
請求項１又は２の何れかの項に記載の注射装置において、トリガースリーブ（４）は、針防護要素（１）の外側に又は内側に配備される、注射装置。
【請求項４】
請求項１ないし３の何れかの項に記載の注射装置において、トリガースリーブ（４）は、トリガースリーブ（４）により押すことのできる連結要素（２６）と協働し、自由に取り付けられたトリガーボタン（１５）が針係止要素（１６）と連結されて注射手順を開始することを可能にする、注射装置。
【請求項５】
請求項１ないし４の何れかの項に記載の注射装置において、針防護要素（１）は、例えば、赤、オレンジ又は黄色のようなインジケータ色にてその外面が着色される、注射装置。
【請求項６】
請求項１ないし５の何れかの項に記載の注射装置において、針防護部（１）を引き出した位置に掛け止めするための拘束装置（４ａ）を備える、注射装置。
【発明の詳細な説明】
【技術分野】
【０００１】
本発明は、例えば、インシュリン又はホルモンのような、例えば、医薬物質の好ましくは、計量分を分与する自動式注射装置、又は、例えば、ペンのような装置に関する。
特に、本発明は、例えば、１回限り使用のための使い捨て型注射装置として設計された自動式注射装置に関する。
【背景技術】
【０００２】
図３には、針防護要素１及び針防護キャップ６により取り囲まれた、注射装置１０内に配備された針５を有し、針防護要素１は、図３の左側に配備された注射装置１０の前方分与方向に向けて針防護ばね３により偏倚され、該針防護ばねは、注射装置１０のハウジング１４に対して支持された、既知の注射装置１０が示されている。注射薬を投与するためには、針防護キャップ６を除去し、図３に示した注射装置１０を針防護要素１の前端が注射箇所にある状態に配備し、また、針防護要素１を針防護ばね３の力に抗して表示した距離Ｄだけ後方に押し戻し、針５を挿入し得るようにしなければならない。針防護ばね３により加えられた力に抗して通常、約１８ｍｍの範囲である距離Ｄを亙って針防護要素１を押し戻さなければならないことは、注射薬を投与するため、極めて長時間、相対的に強い圧力を付与しつつ、ユーザは、注射装置１０を注射箇所に押し付けなければならないことを意味する。アンプル１１が例えば、針５のような金属と接触することを許容すべきでない物質又は医薬を任意の時間、保持するならば、針５は、注射直前迄、アンプル１１に装着してはならないが、このことは、図３に示した注射装置１０の場合、実際に不可能なことである。
【発明の開示】
【発明が解決しようとする課題】
【０００３】
本発明の１つの目的は、軽い力を付与しつつ、注射薬を安全に投与することのできる直ちに使用可能な状態に注射装置を配置することを可能にする簡単な手段を提供する、注射装置及び注射装置をプライミングする機構を提案するものである。
【０００４】
この目的は、独立請求項に記載された主題事項により実現される一方、有益な実施の形態は、従属請求項に記載されている。
【課題を解決するための手段】
【０００５】
第一の形態のため、本発明は、注射薬を分与し得るよう１回限り使用の使い捨て型部品の形態として設計することができる、注射装置、特に、自動式注射装置をプライミングするプライミング装置又はツールに関し、該注射装置は、例えば、医薬のような分与すべき物質を有するアンプルを保持しており、該アンプルは、例えば、それ自体既知の型式の保護キャップが設けられて、閉じられる。かかる既知の保護キャップは、アンプルを密封するゴム部品から成っており、このゴム部品は、例えば、ルア針に対するねじを含むこともできるプラスチックキャップによりアンプルに固定されている。プラスチックキャップは、破断箇所を設けることが好ましく、この破断箇所は、回転させることにより又はこれと代替的に、引っ張ることにより破断させ、ゴム部品を破断プラスチック部分と共に、除去し、アンプルを開放することができるようにする。針に対する接続要素がキャップに設けられるならば、ルア針を例えば、ねじ止めし又は装着することができる。本発明の目的上、プライミング装置又はツールは、当初の状態にてシール又は保護キャップに既に接続されており又は接続することができ、このため、アンプルの保護キャップは、プライミング装置又はツールを回し且つ（又は）引っ張ることにより除去し、これにより針を装着し又はねじ止めすることを可能にすることができる。この場合、本発明により提案されたプライミング装置は、注射装置内に挿入することができ、又は既に、注射装置内にある状態にし、また、挿入した状態において、保持し易いグリップ部を有し、ユーザが該プライミング装置を注射装置に対して回転させ、例えば、アンプルのシールを開放することができる。
【０００６】
プライミング装置は、注射装置の分与端部又は前端内に押し込み又は挿入し、また、注射装置から突き出るようにすることが望ましく、その結果、ユーザは、プライミング装置を容易に保持し且つ、例えば、該プライミング装置を注射装置に対して回転させ、アンプルのキャップを開放し且つ、キャップを、例えば、プライミング装置と共に、注射装置から取り外すことができる。プライミング装置は、例えば、ほぼ円筒状の細長い要素の形態にて提供することができ、該細長い要素は、針防護要素の内径又は注射装置の前端よりも僅かに小さい。
【０００７】
第二の形態のため、本発明は、注射装置、特に、自動式注射装置をプライミングするプライミング装置又はツールに関し、該プライミング装置又はツールは、針、特に、ルア針用のホルダ要素を有しており、該ホルダ要素は、針を注射装置に装着し又は挿入し得るよう保持し、装着し且つ（又は）ねじ止めしたならば、針を解放し、その後にプライミング装置を注射装置から取り外すことができ、このため、注射装置は、針が例えば、開放したアンプルに装着されたとき、注射薬を投与する用意が整う。このため、本発明により提案されるプライミング装置は、例えば、アクセス困難であり、ハウジング又は針防護要素により保護される、注射装置の内部領域内に装着し又はねじ止めすることを可能にし、針は、例えば、ねじ装着により注射装置又はアンプルに接続され、また、例えば、アンプル又は注射装置に接続された針からプライミング装置を引っ張って離すことにより、プライミング装置への針の固定又は接続を解放することができる。針のホルダは、針がその内部に挿入される簡単な受容要素とし、又は、これと代替的に、例えば、拘束耳状突起、締止め片又はクリップのような、解放可能な止め要素又は接続要素を備えるようにしてもよい。プライミング装置は、針が当初の状態にてプライミング装置に既に装着されているような設計とするか、又は、これと代替的に、プライミング装置は、針をプライミング装置内に挿入し、その後にプライミング装置と共に、注射装置に装着することができるような設計としてもよい。
【０００８】
プライミング装置は、針防護キャップが装着された針をプライミング装置に挿入し又はプライミング装置に装着し得るような設計とされることが望ましく、この場合、プライミング装置は、例えば、針がプライミング装置内に挿入されたならば、針防護キャップによる掛け止め動作により針防護キャップを保持し得ることが好ましく、このため、針をプライミング装置により注射装置に装着することができ、また、プライミング装置は、針防護キャップと共に、注射装置から除去し、これにより、注射する準備として針を露出させることができる。
【０００９】
１つの好ましい実施の形態において、プライミング装置の設計は次のようにものとする、すなわちプライミング装置をアンプルシール又はアンプル保護キャップに接続する上述した接続要素と、上述した針用のホルダ要素との双方を内蔵し、この場合、これら２つの要素は、例えば、ほぼロッド形状のプライミング装置の両端に設けられており、このため、アンプルが開放したならば、プライミング装置を容易に１８０゜回転させ、針を開放したアンプル上に装着することができるような設計とされる。
【００１０】
プライミング装置は、ユーザがプライミング装置を回転して、針にねじ止めすることにより注射装置に伝達されるトルクを制限する機構を有することが好ましい。トルクは、この要領にて、例えば、プライミング装置に対する２部分から成る設計を使用して制限することができ、この場合、ユーザが把持するプライミング装置の１つの部分は、例えば、カムのような接続要素により他の部分と連結され、このため、特定のトルク、好ましくは、予め画成可能なトルクを上廻ったとき、プライミング装置の２つの部分間の接続が解放され、これにより、２つの部分が互いに回転することを可能にし、プライミング装置の第一の部分に作用するトルクは、特定の最大程度だけ第二の部分に伝達することができ、また、より大きいトルクにより第一の部分が第二の部分に対して更に回転し又は摺動し、これにより針を例えば、特定の最大トルクにてのみ注射装置にねじ止めすることができ、例えば、損傷を引き起こす可能性のある過度に大きい力又は過度に大きいトルクが注射装置に作用するのを防止することができる。
【００１１】
プライミング装置は、注射装置内に挿入したプライミング装置により注射装置が係止されるように設計されることが望ましい、すなわち、挿入した注射装置は、注射手順が開始されるのを防止し、また、このことは、注射装置に例えば、注射針が装着される迄、投与することができず、この場合、例えば、以下により詳細に説明する係止リングを設けることができ、この係止リングは、プライミング装置と一緒でない限り、注射装置から除去し得ないことが好ましい。注射針が注射装置に装着される迄、係止リングを除去することができないようプライミング装置を設計することが特に有益である。
【００１２】
別の形態に従い、本発明は、例えば、注射装置の分与端に配備され且つ、例えば、注射装置に配置され、また、例えば、掛け止め機構を使用して注射装置により保持される注射装置の係止リングに関する。係止リングは、例えば、ハウジング又は針防護部に対する注射装置におけるトリガースリーブの摺動動作のような動きである、例えば、起動手順のためのトリガー要素の動きを防止し又は防止することができるような設計とすることができ、この場合、注射装置は、トリガースリーブが動く迄、注射を開始し又は注射薬を投与することができないような設計とされる。この目的のため、係止リングは、例えば、トリガースリーブ及び（又は）針防護部に対して注射装置の前端にて注射装置に装着され且つ、例えば、１つ又はより多くの後続要素のような解放可能な接続部により注射装置に接続される。係止リングと注射装置との間の接続は、注射装置が解放し得るような設計とされることが好ましく、また、針が注射装置に装着され又は注射装置内に挿入されたならば、接続をプライミング装置により解放されるようにすることが特に好ましい。この場合、係止リングと注射装置との間の接続は、例えば、プライミング装置を注射装置内に十分に深く挿入することにより、注射針が注射装置に安全に接続される迄、接続を解放することができないような設計とされることが好ましい。この目的のため、プライミング装置の外面にカム又は駆動体を設けることができ、プライミング装置が十分に深く挿入されたならば、係止リングと注射装置との間の係止又は接続を解放し又は非係止状態にし、これにより係止リングを注射装置から除去することができる。
【００１３】
係止リングが注射装置に対し又は注射装置にて回転することができるが、例えば、プライミング装置により係止リングと注射装置との間の接続が非係止状態とされ又は解放される迄、係止リングが軸方向に摺動することができないように係止リングが注射装置に接続されることが望ましい。従って、係止リングは、例えば、溝により注射装置と接続し、係止リングの回転が係止リングを通して注射装置内に挿入されたプライミング装置に伝達され、これによりユーザが注射装置内に挿入されたプライミング装置を係止リングにより回転させ、アンプルのキャップを開放し又は注射針に接着し又はねじ止めすることを可能にすることができる。
【００１４】
例えば、相応する接続要素又は止め要素が例えば、上述したプライミング装置により解放される迄、係止リングを除去するため、接続要素又は軸受要素を解放することなく、係止リングが軸方向に動くことができず、また、係止リングの変位が不可能であるような要領にて係止リングが注射装置に取り付けられることが好ましい。
【００１５】
別の形態のため、本発明は、上述した型式の係止リングを有する注射装置に関し、注射装置は、係止リングが依然として注射装置に装着されている限り、トリガーボタンの作動により注射手順を起動させることができないような設計とされることが好ましい。
【００１６】
上述した注射装置又はプライミング装置の要素又は構成部分と共に使用されるが、これら要素と独立的に使用可能である別の形態のため、本発明は、針をねじ止めし又は装着することができ、又は針を挿入することができ、又は既に針に接続されている注射装置であって、本発明の目的上、針防護要素が提供され、該針防護要素は当初の状態にて後退した位置に配備され、また、例えば、注射手順の後、ばね要素により針の上方に沿って引き出し又は押すことができ、この場合、針防護要素は、引き出された後、針を取り囲み、これにより針との偶発的な接触を防止するようにした上記注射装置に関する。好ましくは、針防護要素は、針を係止し得るよう後退した当初の位置からのみ引き出すことができ、また、引き出し又は押し出つれた位置において、その後に、例えば、拘束接続部又は爪によって固定し又は係止することができ、該拘束接続部又は爪は、引き出された針防護部を確実に保持し、該針防護部が針を係止する引き出した位置から該針防護部を最早、押し戻すことができないようにする。
【００１７】
針防護部を同時に動かすことの有利な点は、既に当初の状態にて引き出された後退可能な針防護部を有する既知の注射装置よりも短い注射装置とすることが可能な点である。更に、針防護部を針防護部のばねに起因する力に抗してより長い距離に亙って最初に後方に押して針を解放する必要はないことを明確な理由として、当初の状態にて引き出されていない本発明により提案される針防護部は、注射薬を投与するための解放経路を短くし、より少ない力で済むことを可能にする。本発明の目的のため、針は注射装置から最初に引き出され、その後、針防護要素を引き出した針の上方に沿って押す。
【００１８】
針防護部は、注射装置内にて注射器ホルダに取り付けられ且つ、前方位置においてストッパにより軸方向に境界付けされることが望ましい。この場合、針防護部は、注射器ホルダに支持されたばね要素により前方位置に偏倚されることが好ましい。
【００１９】
例えば、針防護部を超えて突き出すトリガースリーブが針防護部と同軸状に配備されることが好ましく、該トリガースリーブには、例えば、上述した係止リングを装着して、トリガースリーブが偶発的に動くのを防止することができる。この場合、注射装置は、トリガースリーブが針防護部に対して変位される迄、起動動作を開始したり又は作動させることができないような設計とされることが好ましく、このトリガースリーブの変位は、例えば、注射装置を注射箇所に当てがうことにより実行することができる。注射装置が例えば、針防護要素の前端縁の高さ位置に変位され又は押し込まれたならば、トリガースリーブは、それ以前に自由であったように取り付けられたトリガーボタンとトリガー機構との間の機械的接続を確立し、トリガーボタンを押すことによりトリガースリーブが変位される迄、トリガー機構が作動されないようにすることができる。
【００２０】
トリガーが操作されたならば、自動式の起動手順が実行され、これにより注射針は、例えば、ばね要素の力により注射装置から前方に押され又は突き出され、注射装置が例えば、組織を突き刺すことを可能にする。次に、例えば、プラグのような変位体をアンプル内に押し込み、アンプル内に保持された物質が注射針から分与されるようにする。注射手順が開始され且つ、実行されたならば、針防護要素をばね要素により偏倚させ、該針防護要素が注射針の方向に押され且つ、注射装置が再度、注射箇所から離れるよう動いたならば、注射針の上方に沿って自動的に押されるようにすることが望ましい。
【００２１】
針防護要素には、その外面に赤、オレンジ又は何らかのその他の色のインジケータ又は信号色を設け、注射装置が既に、使用されたかどうかを知ることを相対的に容易にすることが望ましい。
【００２２】
例えば、拘束具のような係止要素が設けられることが好ましく、該係止要素により、針防護要素を引き出した位置にて掛け止めし又は係止し、注射針を保護する、換言すれば、該注射針を取り囲み、これにより注射針との偶発的な接触を可能な限り防止することができる。
【００２３】
本発明は、実施の形態の例に基づいて以下に説明する。
【発明を実施するための最良の形態】
【００２４】
図１Ａには、アンプル１１を有する自動式注射装置１０の断面図が示されており、該アンプルは、アンプル１１を閉じるゴムで出来た保護キャップ８により閉じられ、また、アンプル１１に接続され且つ、ルア針用のねじも保持するプラスチックキャップを有している。保護キャップ８は、ツールすなわちプライミング装置１２に固定状態に接続されており、該プライミング装置１２は、軸方向に摺動可能に取り付けられ且つ、係止リング１３と共に回転し得るよう係止リング１３内にて連結されている。溝又はその他の適宜な要素により、ツール１２は、係止リング１３に接続され、該係止リングは、回転し得るよう注射装置１０に取り付けられ又は注射装置に軸方向に接続され、このため、係止リング１３の回転は、ツール１２に伝達され、その結果、保護キャップ８の破断箇所が破断されて開き、これによりアンプル１１の前端を開放することになる。
【００２５】
次に、保護キャップ８に接続されたツール１２を図１Ｂに示すように、注射装置１０から引き出す。係止リング１３は、注射装置１０に軸方向に接続されたままである。
保護キャップ８を内蔵する端部と対向して位置するツール１２の端部にて、針防護キャップ６が装着されたルア針５は、ツール１２内に挿入することができ、また、ツール１２の挿入オリフィス上に配備された拘束耳状突起１２ａは、図１Ｃに示すように、針防護キャップ６をツール１２から再度、引き出すことができないことを保証する。
【００２６】
図１Ｃ、図１Ｄに示すように、ツール１２を１８０゜回転させると、ルア針５は、係止リング１３を通じて注射装置１０内に挿入し且つ、アンプル１１に設けられた内ねじ１１ａ内にねじ込み、ルア針５をアンプルの開口部の前端と強固に接続することができる。この状態となったならば、係止リング１３を例えば、溝によってツール１２と連結し、係止リング１３の回転をツール１２に伝達して、ルア針５にねじ止めすることができるようにする。
【００２７】
ツール１２は、特定の最大トルクを一方の部品から他方の部品へ伝達することができるよう接続された２つの部品１２．１、１２．２から成っている。例えば、拘束耳状突起の形態にて設けられた２つの部品１２．１、１２．２間の接続は、所定の最大トルクを上廻ったときに解放され、このため、一方の部品は他方に対し回転し、これにより、例えば、図１Ｄ、図１Ｅに示すように、ツール１２と連結された係止リング１３を回転させることにより、予め設定可能な最大トルク以下の所定のトルクによってのみ針５がねじ込まれることを保証する。
【００２８】
ツール１２により注射装置１０から解放された係止リング１３と共に、次に、ツール１２を注射装置１０から除去し、注射装置１０をプライミングして図１Ｆに示すように、アンプル１１が開き且つ、針５が装着された状態にて注射を実行することができる。
【００２９】
保護キャップ８が除去されたならば、図１Ｄに示すように、針５をアンプル１１上に配置し、その結果、ツール１２の外側に配備されたカム又は突出部１２ｃは、トリガースリーブ４内に配備された針防護部１を押し戻し、これにより係止リング１３を注射装置１０上に保持するトリガースリーブ４の外面に配備されたカム４ａを解放し、このため、このカム４ａを半径方向内方に押すことができ、これにより、係止リング１３の係止を解放し、このため、図１Ｅ、図１Ｆに示すように、係止リング１３をトリガースリーブ４から、従って、注射装置１０から除去することができる。
【００３０】
例えば、係止リング１３内にプリテンションを加えたばね要素１３ａが設けられるため、係止リング１３を除去することができ、このばね要素は、半径方向内方に押し且つ、ツール１２の外面の合わさる凹部又は切欠き１２ｂ内に掛け止めし、その結果、係止リング１３は、ツール１２と強固に接続され且つ、図１Ｆに示すように、ツール１２が除去されたとき、ツール１２と共に、注射装置１０から除去される。係止リング１３のばね要素１３ａが掛け止めできる前に、少なくとも針５が確実に装着され又は固定される迄、ツール１２を注射装置１０内に挿入しなければならないような要領にて切欠き１２ｂがツール１２上に配備されることが望ましい。
【００３１】
図１Ｆ、図２Ａには、注射薬を投与する用意が整うようプライミングされた注射装置１０が示されている。
図２Ａに示した注射装置が軽く圧力を加えて注射箇所に当てがわれたならば、トリガースリーブ４は、針防護部１と共に、図２Ｂに示すように、押し戻される。
【００３２】
注射薬の投与に関係した手順について、図２Ａないし図２Ｆを参照して１つの実施の形態に基づいて説明する。図２Ａには、アンプル１１が開放され且つ、針５がねじ止めされた後の注射装置１０が示されている。トリガースリーブ４は、当初の状態にあるか又は注射箇所に配置されており、このため、図２Ａに示すように、トリガースリーブ４の前端が針防護部１の前端に多かれ少なかれ位置する迄、トリガースリーブは押し戻される。注射箇所に配置されたとき、トリガースリーブ４は、アンプルハウジング１４内に押し込まれ、また、図２Ｂに示した連結要素２５が変位するため、このときには、注射装置１０に何らの作用を与えることなく、押し且つ、再解放することのできる位置にあるトリガーボタン１５を針係止要素１６と連結させ、このため、トリガーボタン１５を押したとき、針係止要素１６は、該係止要素がアンプルホルダ１８を係止する位置から外に押し出され、アンプルホルダ１８は、アンプルハウジング１４又はアンプルホルダガイド２０に対して支持された針突き出しばね１７により注射針５の引き出し方向に押され、その結果、針５は、針５の後方に配備されたアンプル１１と共に、図２Ｃに示すように、注射装置１０から引き出される。その結果、これと同時に注射器ホルダ２は、前方位置に押され、これにより注射器ホルダ２と針防護部１との間に配備された針防護ばね１９を緊張させ又は圧縮する。
【００３３】
図２Ｃに示すように、アンプルホルダガイド２０の内面に設けられた凹部又は切欠き２０ａに対向する位置に係止要素２１が位置する迄、アンプルホルダ１８がアンプルホルダガイド２０内にて遠方に押されると、半径方向外方に偏倚された係止要素２１は、アンプルホルダガイド２０の切欠き２０ａ内に押し込まれ、差込みホルダ又はスライド２２をアンプルホルダ１８から非係止状態にし又は解放する。図２Ｄ参照。このため、図２Ｄに示すように、アンプルホルダ１８の後端と差込みホルダ又はスライド２２との間にて偏倚された突き出しばね２３は、弛緩し且つ、プラグ２４をアンプル１１内に押し込むことができ、その結果、アンプル１１内に保持された物質は排出され且つ、引き出した針５を通して分与される。
【００３４】
注射薬を投与した後、注射装置１０が注射箇所から移動すると、針防護部１は図２Ｅに示すように、注射針５の方向に向けて偏倚された針防護ばね１９により注射装置１０から外に且つ、針５の上方に沿って前方に押され、これにより、針５が係止されることを可能にする。トリガースリーブ４内に設けられた内方に偏倚した拘束部又は爪４ａは、針防護部１の後方ストッパの後側に掛け止めし、これにより針防護部を引き出し位置に係止する。
【００３５】
図２Ｆに示した１つの実施の形態において、針防護部は、針５を露出させずに、圧力を加えることにより、針防護部１と連結されたトリガースリーブ４がアンプルホルダガイド２０の突起に位置する迄、更なる距離を押すことができる。
【００３６】
針防護部又は針防護部１の外面が例えば、赤のような標識色を有するならば、引き出した針防護部１を同時にインジケータとしても使用し、アンプル注射装置が既に使用され且つ、再使用することができないことを表示することができる。
【図面の簡単な説明】
【００３７】
【図１】１Ａは、注射の準備ができた状態にてツールによりプライミングされた注射装置の断面図である。  １Ｂは、注射の準備ができた状態にてツールによりプライミングされた注射装置の断面図である。  １Ｃは、注射の準備ができた状態にてツールによりプライミングされた注射装置の別の断面図である。  １Ｄは、注射の準備ができた状態にてツールによりプライミングされた注射装置の別の断面図である。  １Ｅは、注射の準備ができた状態にてツールによりプライミングされた注射装置の別の断面図である。  １Ｆは、注射の準備ができた状態にてツールによりプライミングされた注射装置の更に別の断面図である。
【図２】２Ａは、注射装置により注射薬が投与される方法、及びその後に注射針が係止される状態を示す図である。  ２Ｂは、注射装置により注射薬が投与される方法、及びその後に注射針が係止される状態を示す別の図である。  ２Ｃは、注射装置により注射薬が投与される方法、及びその後に注射針が係止される状態を示す別の図である。  ２Ｄは、注射装置により注射薬が投与される方法、及びその後に注射針が係止される状態を示す別の図である。  ２Ｅは、注射装置により注射薬が投与される方法、及びその後に注射針が係止される状態を示す別の図である。  ２Ｆは、注射装置により注射薬が投与される方法、及びその後に注射針が係止される状態を示す更に別の図である。
【図３】既知の注射装置の断面図である。
【図１Ａ】
2007509658.tif 000003
【図１Ｂ】
2007509658.tif 000004
【図１Ｃ】
2007509658.tif 000005
【図１Ｄ】
2007509658.tif 000006
【図１Ｅ】
2007509658.tif 000007
【図１Ｆ】
2007509658.tif 000008
【図２Ａ】
2007509658.tif 000009
【図２Ｂ】
2007509658.tif 000010
【図２Ｃ】
2007509658.tif 000011
【図２Ｄ】
2007509658.tif 000012
【図２Ｅ】
2007509658.tif 000013
【図２Ｆ】
2007509658.tif 000014
【図３】
2007509658.tif 000015
【国際調査報告】
2007509658.tif 000016
2007509658.tif 000017
2007509658.tif 000018
2007509658.tif 000019
2007509658.tif 000020
2007509658.tif 000021